(57)【要約】      （修正有）【課題】ポリシールールをデータコンテンツネットワークから、モバイルネットワーク内のユーザ端末に配信する方法を提供する。【解決手段】コアデータコンテンツネットワーク内に配置されるモバイルオフロードゲートウエイ（ＭＯＧ）１１２は、移動加入者に関連付けられた少なくとも１つのモバイルポリシールール（ＰＯＴＭＳ）１１８を、ＰＣＲＦ１１６から取得し、少なくとも１つのＰＯＴＭＳをコアデータコンテンツネットワークの外部に配置されるユーザ端末（ＵＥ）１０２に送信する。ＵＥは、移動加入者と関連付けられており、さらに、少なくとも１つのＰＯＴＭ１２２に従って機能する。【選択図】図１
2019033498.tif 000002
【特許請求の範囲】
【請求項１】
ポリシールールをコアデータコンテンツネットワークからモバイルネットワーク内のユーザ端末に配信するための方法であって、前記方法は、
前記コアデータコンテンツネットワーク内に配置されるモバイルオフロードゲートウエイ（ＭＯＧ）によって、移動加入者に関連付けられた少なくとも１つのモバイルポリシールールを取得することと、
前記少なくとも１つのモバイルポリシールールを前記ＭＯＧから前記コアデータコンテンツネットワークの外部に配置されるユーザ端末（ＵＥ）に送信することとを含み、前記ＵＥは、前記移動加入者と関連付けられており、さらに、
前記少なくとも１つのモバイルポリシールールに従って機能するように前記ＵＥを構成することを含む、方法。
【請求項２】
前記少なくとも１つのモバイルポリシールールは、前記ＵＥによって生成され、前記ＵＥから前記コアデータコンテンツネットワークに送信される信号メッセージを制限する、請求項１に記載の方法。
【請求項３】
前記少なくとも１つのモバイルポリシールールは、バッテリー使用ポリシールール、無線アクセスネットワークエアリンク測定ポリシールール、データネットワークスロットリングポリシールール、階層ベース加入ポリシールール、信号制御ポリシールール、およびユーザデータクォータポリシールールのうち少なくとも１つを含む、請求項１に記載の方法。
【請求項４】
前記データネットワークスロットリングポリシールールは、前記コアデータコンテンツネットワークから前記ＵＥへのデータコンテンツトラフィックを減少させるかまたは中止するためのポリシールールを含む、請求項３に記載の方法。
【請求項５】
前記ＵＥはモバイルネットワーク内に配置される、請求項１に記載の方法。
【請求項６】
前記モバイルネットワークは、３ＧＰＰ無線アクセスネットワーク（ＲＡＮ）、３Ｇ  ＲＡＮ、４Ｇ  ＲＡＮ、またはロングタームエボリューション（ＬＴＥ）ＲＡＮを含む、請求項５に記載の方法。
【請求項７】
前記ＭＯＧはモバイルポリシーゲートウエイ（ＭＰＧ）を含む、請求項１に記載の方法。
【請求項８】
少なくとも１つのモバイルポリシールールを取得することは、Policy and Charging Rules Function（ＰＣＲＦ）ノードから前記少なくとも１つのモバイルポリシールールを受信することを含む、請求項１に記載の方法。
【請求項９】
少なくとも１つのモバイルポリシールールを取得することは、前記少なくとも１つのモバイルポリシールールについてPolicy and Charging Rules Function（ＰＣＲＦ）ノードに照会することを含む、請求項１に記載の方法。
【請求項１０】
ポリシールールをデータコンテンツネットワークからモバイルネットワーク内のユーザ端末に配信するためのシステムであって、前記システムは、
加入者に関連付けられた少なくとも１つのモバイルポリシールールを取得し、前記少なくとも１つのモバイルポリシールールを前記ＭＯＧから送信するように構成されたモバイルオフロードゲートウエイ（ＭＯＧ）を備え、前記ＭＯＧは、データコンテンツネットワーク内に配置され、さらに、
前記少なくとも１つのモバイルポリシールールを受信するように構成され、かつ前記少なくとも１つのモバイルポリシールールに従って機能するように構成されたユーザ端末（ＵＥ）を備え、前記ＵＥはモバイルネットワーク内に配置される、システム。
【請求項１１】
前記少なくとも１つのモバイルポリシールールは、前記ＵＥによって生成され、前記ＵＥから前記コアデータコンテンツネットワークに送信される信号メッセージを制限する、請求項１０に記載のシステム。
【請求項１２】
前記少なくとも１つのモバイルポリシールールは、バッテリー使用ポリシールール、無線アクセスネットワークエアリンク測定ポリシールール、データネットワークスロットリングポリシールール、階層ベース加入ポリシールール、信号制御ポリシールール、およびユーザデータクォータポリシールールのうち少なくとも１つを含む、請求項１０に記載のシステム。
【請求項１３】
前記データネットワークスロットリングポリシールールは、前記コアデータコンテンツネットワークから前記ＵＥへのデータコンテンツトラフィックを減少させるかまたは中止するためのポリシールールを含む、請求項１２に記載のシステム。
【請求項１４】
前記ＵＥはモバイルネットワーク内に配置される、請求項１０に記載のシステム。
【請求項１５】
前記モバイルネットワークは、３ＧＰＰ無線アクセスネットワーク（ＲＡＮ）、３Ｇ  ＲＡＮ、４Ｇ  ＲＡＮ、またはロングタームエボリューション（ＬＴＥ）ＲＡＮを含む、請求項１４に記載のシステム。
【請求項１６】
前記ＭＯＧはモバイルポリシーゲートウエイ（ＭＰＧ）を含む、請求項１１に記載のシステム。
【請求項１７】
前記ＭＯＧは、Policy and Charging Rules Function（ＰＣＲＦ）ノードから前記少なくとも１つのモバイルポリシールールを受信するように構成される、請求項１１に記載のシステム。
【請求項１８】
前記ＭＯＧは、前記少なくとも１つのモバイルポリシールールについてPolicy and Charging Rules Function（ＰＣＲＦ）ノードに照会するように構成される、請求項１０に記載のシステム。
【請求項１９】
実行可能命令をその上に格納した非一時的なコンピュータ読取可能媒体であって、前記実行可能命令は、コンピュータのプロセッサによって実行されると、
コアデータコンテンツネットワーク内に配置されるモバイルオフロードゲートウエイ（ＭＯＧ）によって、移動加入者に関連付けられた少なくとも１つのモバイルポリシールールを取得することと、
前記少なくとも１つのモバイルポリシールールを前記ＭＯＧから前記コアデータコンテンツネットワークの外部に配置されるユーザ端末（ＵＥ）に送信することとを含み、前記ＵＥは、前記移動加入者と関連付けられており、さらに、
前記少なくとも１つのモバイルポリシールールに従って機能するように前記ＵＥを構成することを含むステップを行うよう前記コンピュータを制御する、非一時的なコンピュータ読取可能媒体。
【発明の詳細な説明】
【技術分野】
【０００１】
優先権主張
本願は、２０１２年７月２０日付けで提出された米国仮特許出願第６１／６７４，２７０号の利益を主張する。当該出願の開示全体を引用によってここに援用する。
【０００２】
技術分野
ここに記載される主題は、モバイル装置管理およびポリシー配信に関する。特にここに記載される主題は、ポリシールールをモバイルエッジに配信するためのシステム、方法、およびコンピュータ読取可能媒体に関する。
【背景技術】
【０００３】
背景
モバイルブロードバンドネットワークでは、他の種類のデータネットワークでのように、アクセスネットワークは加入者およびユーザのプラン、階層、およびクォータを典型的に認識していない。加入者認識型、アプリケーション認識型、装置認識型、クォータ認識型、および／またはプラン認識型であるネットワーク要素によってネットワーク内の信号フローが受信される時までに、アクセスネットワークインフラストラクチャ内の貴重なリソースが消費されてしまっている。進行中のモバイルブロードバンドネットワークの発展により、ネットワークオペレータは、それらの周波数保有からaverage revenue per user（ＡＲＰＵ）を向上させることと、階層またはプランに関係なくすべての加入者について劣化しているユーザ体感品質（ＱｏＥ）に対処することとの両方についてますます動機付けられている。ＱｏＥの劣化に寄与する１つの要因は、スマートデバイスおよびスマートデバイスアプリケーションの急増によって生じる制御信号輻輳量の増大である。アクセスネットワークインフラストラクチャベースのソリューションによってこれらの課題に対処することを試みるソリューションは問題を解決しない。たとえば、より多くのセルタワーをインストールすること、帰路容量を増大させること、または小さなセル（たとえばピコセルおよびフェムトセル）の展開によってスペクトル利用を向上させることによって、ネットワークをオーバープロビジョニングすることは、ネットワークによって採用される手段であり得る。しかしながら、これらのアクセスネットワークベースのソリューションは、信号輻輳の問題をネットワークから取り除くのではなく、モバイルネットワーク内のより小さい領域に問題を分散するにすぎない。
【０００４】
したがって、ポリシールールをモバイルエッジに配信するためのシステム、方法、およびコンピュータ読取可能媒体の必要性がある。
【発明の概要】
【課題を解決するための手段】
【０００５】
概要
一局面によれば、ここに記載される主題は、モバイルネットワークにおいてデータコンテンツネットワークからユーザ端末にポリシールールを配信するための方法、システムおよびコンピュータ読取可能媒体を含み、開示される。一実施形態では、当該方法は、コアデータコンテンツネットワーク内に配置されるモバイルオフロードゲートウエイ（ＭＯＧ）によって、移動加入者に関連付けられた少なくとも１つのモバイルポリシールールを取得することを含む。当該方法はさらに、少なくとも１つのモバイルポリシールールをＭＯＧからコアデータコンテンツネットワークの外部に配置されるユーザ端末（ＵＥ）に送信することを含み、ＵＥは、移動加入者と関連付けられており、さらに、少なくとも１つの
モバイルポリシールールに従って機能するようにＵＥを構成することを含む。
【０００６】
モバイルエッジにポリシールールを配信するためのここに記載される主題は、ハードウェア、ソフトウェア、ファームウェア、またはそのいずれかの組合せで実装され得る。したがって、ここで使用される「機能」、「モジュール」、または「ノード」という用語はハードウェアを指し、記載される特徴を実装するために、ソフトウェアおよび／またはファームウェアコンポーネントも含み得る。典型的な一実装例では、ここに記載される主題は、コンピュータ実行可能命令をその上に格納したコンピュータ読取可能媒体であって、実行可能命令は、コンピュータのハードウェアベースのプロセッサによって実行されるとステップを行うようコンピュータを制御するコンピュータ読取可能媒体を用いて実装され得る。ここに記載される主題を実装するのに好適な典型的なコンピュータ読取可能媒体は、ディスクメモリデバイス、チップメモリデバイス、プログラム可能論理装置、および特定用途向け集積回路などの非一時的なコンピュータ読取可能媒体を含む。その上、ここに記載される主題を実装するコンピュータ読取可能媒体は、単一の装置もしくはコンピューティングプラットフォーム上に配置され得るか、または複数の装置もしくはコンピューティングプラットフォームにわたって配信され得る。
【０００７】
図面の簡単な説明
ここに記載される主題の好ましい実施形態について、添付図面を参照して説明する。同じ参照符号は同じ部分を表す。
【図面の簡単な説明】
【０００８】
【図１】ここに記載される主題の実施形態に係る、ポリシールールをモバイルエッジに配信するための典型的なシステムを例示するブロック図である。
【図２】ここに記載される主題の実施形態に係る、第１の組のポリシールールのモバイルエッジへの配信を例示する通話フロー図である。
【図３】ここに記載される主題の実施形態に係る、第２の組のポリシールールのモバイルエッジへの配信を例示する通話フロー図である。
【発明を実施するための形態】
【０００９】
詳細な説明
本主題は、ポリシールールをモバイルエッジに配信するための方法、システム、およびコンピュータ読取可能媒体を導入する。図１は、通信可能に接続されるユーザ端末（ＵＥ）装置１０２、モバイルネットワーク１０４（たとえば「モバイルアクセスネットワーク」）、およびコアデータコンテンツネットワーク１０６（たとえば「コアネットワーク」）を含む典型的なシステム１００を表す。ＵＥ１０２は、携帯用ハンドセット、スマートフォン、タブレット、またはあるネットワークタイプから別のネットワークタイプに移動することができ、かつ異なるタイプのネットワークに属することができる他の装置などのいずれかのモバイル装置を含み得る。一実施形態では、ＵＥ１０２は、ハードウェアベースプロセッサ１２１と、ポリシーなどのポリシールールをモバイル（ＰＯＴＭ）１２２に格納するように構成されたメモリコンポーネント１２０とを含み得る。
【００１０】
モバイルネットワーク１０４は、コアネットワーク（たとえばコアネットワーク１０６）へのアクセスをＵＥ１０２に提供することが可能ないずれかの種類のモバイルまたはセルベースネットワークを含み得る。一実施形態では、モバイルネットワーク１０４は、３ＧＰＰ無線アクセスネットワーク（ＲＡＮ）、３Ｇ  ＲＡＮ、４Ｇ  ＲＡＮ、ロングタームエボリューション（ＬＴＥ）ＲＡＮなどを含み得る。モバイルネットワーク１０４は、ＵＥ１０２に通信可能に接続され得る。たとえば、無線エアリンクは、モバイルネットワーク１０４の付近またはモバイルネットワーク１０４内に配置され得るＵＥ１０２と、モバイルネットワーク１０４に位置決めされるセルタワーとの間に確立され得る。とりわけ
、ＵＥ１０２とモバイルネットワーク１０４との間でなされるすべての通信（たとえば信号経路およびベアラー／データコンテンツ経路）はエアリンクを介して行われる。モバイルネットワーク１０４は、基地局コントローラ（ＢＳＣ）、無線ネットワークコントローラ、ＮｏｄｅＢ、またはベースステーションもしくはセルタワー内に取付けられるかもしくは組込まれるｅｖｏｌｖｅｄ  ＮｏｄｅＢ（ｅＮｏｄｅＢ）などのコントローラユニット１０８を含み得る。コントローラユニット１０８は、パケットゲートウェイ（ＰＧＷ）１１０にも接続され得る。ＰＧＷ１１０は、モバイルネットワーク１０４中に存在する加入者に対してサービスを提供するワイヤレスネットワークのいずれかのコンポーネントを含み得る。一実施形態では、ＰＧＷ１１０は、Ｗｉ−Ｆｉネットワークの範囲にはなく、かつ／またはＷｉ−Ｆｉネットワークを利用していないＵＥに対してサービスを提供するＬＴＥネットワークコンポーネントであり得る。ＰＧＷ１１０は、モバイルネットワーク１０４とコアネットワーク１０６とを通信可能に接続するようにも構成され得る。
【００１１】
コアデータコンテンツネットワーク１０６は、モビリティオフロードゲートウェイ（ＭＯＧ）１１２、Access Network Discovery and Selection Function（ＡＮＤＳＦ）ノー
ド１１４、およびPolicy and Charging Rules Function（ＰＣＲＦ）ノード１１６を含み得る。一実施形態では、ＭＯＧ１１２は、ＵＥおよび関係するセッションのために実行すべきポリシーについてネットワーク内の他のノードに命令するネットワークポリシーインフラストラクチャに属するネットワークエレメントである。たとえばＭＯＧ１１２は、ポリシーインフラストラクチャの一部であり、かつコアネットワーク１０６（たとえば３ＧＰＰネットワーク）からＵＥ１０２へのポリシーオフロードプロセスを管理するように構成された、モバイルポリシーゲートウエイ（ＭＰＧ）などのスタンドアローンのノードであり得る。ＭＯＧ１１２はさらに、ＰＣＲＦノード１１６などのポリシーサーバに接続するように構成される。ＭＯＧ１１２は、ローカルＷｉＦｉネットワーク（たとえば空港、店舗、レストラン等のような、パブリックユーザに提供される既存のＷｉ−Ｆｉネットワーク）のＵＥ１０２に通知することと、ローカルＷｉＦｉネットワークに接続するための信用証明書をＵＥ１０２に提供することとを担当し得る。一実施形態では、ＭＯＧ１１２は、（たとえばＰＣＲＦノード１１６に統合された）インフラストラクチャの一部である別のノードに統合され得る。
【００１２】
一実施形態では、ＰＣＲＦノード１１６は、ネットワークポリシールール（または「ポリシー」）を格納し、かつ他のノードからのクエリに応答してそのようなポリシールールを提供するように構成され得る。たとえば、ＰＣＲＦノード１１６は、「Policy On The Mobile」（ＰＯＴＭ）などの１つ以上のモバイルポリシールールを生成し、ＭＯＧ１１２に提供するように構成され得る。別の実施形態では、ＰＣＲＦノード１１６は、少なくとも１つのモバイルポリシールールを要求するＭＯＧ１１２からのクエリを受信し得る。ＭＯＧ１１２は、ＰＣＲＦノード１１６によって提供されるポリシールールをＰＯＴＭデータベースまたはメモリ（ＰＯＴＭＳ１１８として図１に示す）に格納し得る。ＭＯＧ１１２は、ＵＥ１０２が３ＧＰＰ以外のアクセスネットワーク（たとえばＷｉ−ＦｉまたはＷｉＭａｘアクセスネットワーク）を発見するのを助けることを担うＡＮＤＳＦノード１１４にも接続され（または統合され）得る。ＡＮＤＳＦノード１１４は、ＵＥ１０２へのアクセスネットワーク接続に関するポリシールールを提供するようにも構成され得る。
【００１３】
本主題は、ネットワークオペレータがＵＥ１０２の機能的挙動を制御することを可能にするユーザ端末に１組のポリシールールをオフロードすることに関係する。そのようなポリシーベースルールは、ＵＥ１０２上に、バッテリー使用ポリシールール、無線アクセスネットワークエアリンク測定ポリシールール、データネットワークスロットリングポリシールール、階層ベース加入ポリシールール、信号制御ポリシールール、ユーザデータクォータポリシールール等を含み得る。
【００１４】
いくつかの実施形態では、提供されるポリシールールは、特定の状況下でＵＥ１０２がモバイルネットワーク１０４を介してコアネットワーク１０６と不必要に通信することおよび／または接続することを防ぐように構成される。したがって、ネットワークレベルのリソースの使用状況および容量は、加入者感度を含み得るオペレータ管理サービスのために保持することができる。たとえば、ネットワークオペレータは、特定の期間中（たとえば「ピーク」または「ビジー」時間中）にモバイルデータインターフェイスのスイッチを切るようにＵＥに命令するポリシールールをブロンズ階層加入者のＵＥにオフロードし得る。その上、オフロードされたポリシールールは、指定された期間中にＵＥ１０２にＷｉ−Ｆｉインターフェイスを起動させてもさせなくてもよい。他のオフロードされたポリシールールにより、トップ（ＯＴＴ）ビデオストリーミングアプリケーションなどのデータ集約型アプリケーションのためにＵＥがデータネットワークにアクセスするのを防ぎ得る。また、オペレータコアのネットワークインテリジェンスは、ＵＥ上にすでにプロビジョニングされているダイナミックポリシールールを誘導するために使用され得る。そのような１つの例は、コアオペレータネットワークが輻輳している時間（たとえばビジー時間中）にＵＥ上でアプリケーションスロットリングポリシールールを使用することである。なお、ＵＥ１０２がコアネットワーク１０６に直接接続される場合、またはＵＥ１０２がアクセスネットワーク（たとえばＲＡＮ１０４）もしくはＷｉＭａｘもしくはＷｉＦｉなどの何らかの他のアクセス技術によってコアネットワーク１０６に接続される場合のいずれかに、これらのポリシールールをインストールすることができる。
【００１５】
ＷｉＦｉネットワークにオフロードするようＵＥに命令するローカルポリシールールのプロビジョニングを例示する典型的な通話フローを図２および図３に示す。たとえば、図２は、ネットワーク登録プロシージャを行うＵＥ１０２およびＭＯＧ１１２を図示する。ＭＯＧ１１２は、命令メッセージ２０１をＵＥ１０２に送信することによって登録プロシージャを開始し得る。とりわけ、命令メッセージ２０１は、ＭＯＧ１１２への接続を開始するようＵＥ１０２に命令する信号メッセージを含み得る。応答して、ＵＥ１０２は、接続応答メッセージ２０２をＭＯＧ１１２に送信して、接続を確立し得る。別の実施形態では、ＵＥ１０２は、単独で（つまり命令メッセージ２０１を受信することなく）ＭＯＧ１１２への接続を要求しかつ／または開始し得る。ＵＥ１０２およびＭＯＧ１１２が通信可能に接続された後で、ＭＯＧ１１２は、同期要求メッセージ２０３をＵＥ１０２に送信し得る。ＵＥ１０２は次いで、同期信号メッセージ２０４によって応答する。
【００１６】
信号メッセージ２０３〜２０４の交換後、ＭＯＧ１１２は、少なくとも１つのモバイルポリシールールまたはＰＯＴＭを含む同期応答メッセージ２０５を送信する。図２では、メッセージ２０５は、ｉ）ローカルクォータ適用ポリシールールと、ｉｉ）「ユーチューブ」時間ベース制限ポリシールールとを含む２つのＰＯＴＭを含む。たとえば、ローカルクォータ適用ポリシールールは、ＵＥ１０２が１日当たり５ＧＢを越えるデータコンテンツをダウンロードするのを制限するポリシールールを含み得る。同様に、ユーチューブ制限ポリシールールは、午後４時と午後８時との間（たとえば「ビジー／ピーク時間」）のいずれかの時刻に３ＧＰＰデータアクセスネットワークを介してユーチューブをダウンロードおよび／またはアクセスしないようＵＥ１０２に命令し得る。モバイルポリシールール（たとえばＰＯＴＭ１２２）がＵＥ１０２のメモリ１２０にローカルにプロビジョニングされた（たとえばＰＯＴＭがロードされかつ／またはインストールされた）後、ＵＥ１０２は次いで、モバイルポリシールールに従って機能するように構成され得る。
【００１７】
図２において、ＵＥ１０２は続いて、ＰＧＷ１１０を介してデータネットワークにアクセスする。図２は、午後１２時に、加入者の一日のクォータが使い果たされており、３ＧＰＰデータアクセスがスロットリングされ、調整され、かつ／または中止されるように、関連付けられたローカルポリシーがトリガされることを示す。その結果、ＵＥ１０２によって生成される信号は、３ＧＰＰデータネットワークを介して送信されない。したがって
、利用可能な場合はＷＬＡＮアクセスのみがＵＥ１０２によってアクセスされ得る。
【００１８】
図３では、ＵＥ１０２およびＭＯＧ１１２がネットワーク登録プロシージャを行うものとして図示される。一実施形態では、ＭＯＧ１１２は、ＵＥ１０２に命令メッセージ３０１を送信し得る。とりわけ、命令メッセージ３０１は、ＭＯＧ１１２への接続を開始するようＵＥ１０２に命令する信号メッセージを含み得る。応答して、ＵＥ１０２は、ＭＯＧ１１２に接続応答メッセージ３０２を送信して、接続を確立し得る。別の実施形態では、ＵＥ１０２は、単独で（たとえば命令メッセージ３０１を受信することなく）ＭＯＧ１１２への接続を要求しかつ／または開始し得る。ＵＥ１０２およびＭＯＧ１１２が通信可能に接続された後、ＭＯＧ１１２は、同期要求メッセージ３０３をＵＥ１０２に送信し得る。ＵＥ１０２は次いで、同期信号メッセージ３０４によって応答する。信号メッセージ３０３〜３０４の交換後、ＭＯＧ１１２は、少なくとも１つのモバイルＰＯＴＭを含む同期応答メッセージ３０５を送信する。図３では、メッセージ３０５のＰＯＴＭは、ｉ）ローカルクォータ適用ポリシールールと、ｉｉ）ソーシャルネットワーキング制限ポリシールールとを含む。たとえば、ローカルクォータ適用ポリシールールは、１日当たり５ＧＢを越えるデータコンテンツをＵＥ１０２がダウンロードするのを制限するポリシールールを含み得る。同様に、ソーシャルネットワーキング制限ポリシールールは、午後４時と午後８時との間（たとえば「ビジー／ピーク時間」）のいずれかの時刻に３ＧＰＰデータアクセスネットワークを介してＵＥ１０２がいずれかのソーシャルネットワーキングサイトを実行するかまたはアクセスすることを防ぎ得る。とりわけ、ＵＥ１０２は、いずれかのソーシャルネットワーキングアプリケーションと関係のあるいかなる信号メッセージを発行することも妨げられ得る。モバイルポリシールール（たとえばＰＯＴＭ１２２）がＵＥ１０２のメモリ１２０にローカルにプロビジョニングされた後（たとえば、ＰＯＴＭがロード／インストールされた）後、ＵＥ１０２は次いで、モバイルポリシールールに従って機能するように構成され得る。
【００１９】
図３では、ＵＥ１０２は続いて、ＰＧＷ１１０を介してデータネットワークにアクセスする。図３は、午後４時に、加入者がソーシャルネットワーキングアプリケーション／ウェブサイトにアクセスするのを妨げることを担うポリシールールがトリガされることも示す。したがって、ＵＥ１０２によって生成されるソーシャルネットワーキングに関係する信号はすべてスロットリングされ、調整され、かつ／または中止される。その結果、ＵＥ１０２によって生成される信号メッセージは、３ＧＰＰデータネットワークを介してソーシャルネットワーキングアプリケーションに送信されない。したがって、利用可能かつ／または可能であれば、ソーシャルネットワーキングアプリケーションは、ＷＬＡＮアクセスを介してＵＥ１０２によってのみアクセスされ得る。
【００２０】
本主題は、ＵＥがＷｉＦｉネットワークに接続することができない場合に生じる問題に対処する。より具体的には、ＷｉＦｉまたはＷｉＭａｘネットワークへのオフロードが可能でない場合、提案されている主題がＵＥ１０２の挙動を規定する。しかしながら、本主題の重要な１つの貢献は、ＱｏＥに関連した重要なＵＥ測定値がコアネットワークインターフェイスを介して測定され得るという事実である。その場合、コアネットワークオペレータは、このＵＥ測定情報を用いてネットワーク最適化を行ない得る。これまでのところＵＥのパフォーマンス／ＱｏＥはアクセスネットワークのドメインであり、コアネットワークによってアクセス可能ではない。これによりポリシーおよびネットワークリソースの使用が適用される。本主題によって、サービス水準保証（ＳＬＡ）と一致するやり方でネットワークオペレータがネットワーク最適化を行うことも可能になるであろう。
【００２１】
ここに記載される主題の様々な詳細は、ここに記載される主題の範囲から逸脱することなく変更され得ることが理解されるであろう。さらに、上記の記載は、限定の目的ではなく例示の目的にすぎない。
【図１】
2019033498.tif 000003
【図２】
2019033498.tif 000004
【図３】
2019033498.tif 000005
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
ポリシールールをコアデータコンテンツネットワークからモバイルネットワーク内のユーザ端末に配信するための方法であって、前記方法は、
前記コアデータコンテンツネットワーク内に配置されるモバイルオフロードゲートウエイ（ＭＯＧ）によって、移動加入者に関連付けられた少なくとも１つのモバイルポリシールールを取得することと、
前記少なくとも１つのモバイルポリシールールを前記ＭＯＧから前記コアデータコンテンツネットワークの外部に配置されるユーザ端末（ＵＥ）に送信することとを含み、前記ＵＥは、前記移動加入者と関連付けられており、さらに、
前記少なくとも１つのモバイルポリシールールに従って機能するように前記ＵＥを構成することを含む、方法。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ユーザ端末によるコアデータコンテンツネットワークへのアクセスを制御するための方法であって、前記方法は、
前記コアデータコンテンツネットワーク内に配置されるモバイルオフロードゲートウエイ（ＭＯＧ）によって、移動加入者に関連付けられた少なくとも１つのモバイルポリシールールを取得することと、
前記少なくとも１つのモバイルポリシールールを前記ＭＯＧから前記ユーザ端末（ＵＥ）に送信することとを含み、前記ユーザ端末は、前記移動加入者と関連付けられており、前記少なくとも１つのモバイルポリシールールは、前記ユーザ端末が、特定の状況下で、前記コアデータコンテンツネットワークと通信または接続することを防ぐように構成されており、さらに、
前記少なくとも１つのモバイルポリシールールに従って機能するように前記ユーザ端末を構成することを含む、方法。
【請求項２】
ユーザ端末によるコアデータコンテンツネットワークへのアクセスを制御するための方法であって、前記方法は、
前記コアデータコンテンツネットワーク内に配置されるモバイルオフロードゲートウエイ（ＭＯＧ）によって、移動加入者に関連付けられた少なくとも１つのモバイルポリシールールを取得することと、
前記コアデータコンテンツネットワークの外部に配置されるユーザ端末（ＵＥ）と前記ＭＯＧとの通信を確立することと、
前記通信が確立された後に、前記ユーザ端末と前記ＭＯＧとの同期を確立することと、
前記同期の確立後に、前記少なくとも１つのモバイルポリシールールを前記ＭＯＧから前記ユーザ端末（ＵＥ）に送信することとを含み、前記ユーザ端末は、前記移動加入者と関連付けられており、前記前記少なくとも１つのモバイルポリシールールは、前記ユーザ端末が、特定の状況下で、前記コアデータコンテンツネットワークと通信または接続することを防ぐように構成されており、さらに、
前記少なくとも１つのモバイルポリシールールに従って機能するように前記ユーザ端末を構成することを含む、方法。
【請求項３】
前記少なくとも１つのモバイルポリシールールは、前記ユーザ端末によって生成され、前記ユーザ端末から前記コアデータコンテンツネットワークに送信される信号メッセージを制限する、請求項１または２に記載の方法。
【請求項４】
前記少なくとも１つのモバイルポリシールールは、バッテリー使用ポリシールール、無線アクセスネットワークエアリンク測定ポリシールール、データネットワークスロットリングポリシールール、信号制御ポリシールール、およびユーザデータクォータポリシールールのうち少なくとも１つを含む、請求項１〜３のいずれかに記載の方法。
【請求項５】
前記ユーザ端末がアクセス可能なモバイルネットワークは、３ＧＰＰ無線アクセスネットワーク（ＲＡＮ）、３Ｇ  ＲＡＮ、４Ｇ  ＲＡＮ、またはロングタームエボリューション（ＬＴＥ）ＲＡＮを含む、請求項１〜４のいずれかに記載のシステム。
【請求項６】
前記ＭＯＧは、PolicyandChargingRulesFunction（ＰＣＲＦ）ノードから前記少なくとも１つのモバイルポリシールールを受信するように構成される、請求項１〜５のいずれかに記載の方法。
【請求項７】
前記ＭＯＧは、前記少なくとも１つのモバイルポリシールールについてPolicyandChargingRulesFunction（ＰＣＲＦ）ノードに照会するように構成される、請求項１〜６のいずれか１項に記載の方法。
【請求項８】
請求項１〜７のいずれかに記載の方法をコンピュータに実行させる、プログラム。
【外国語明細書】
2019033498000001.pdf